(57)【要約】【課題】  長尺状の印刷画像データを分割印刷したカット紙において、分割を示す分割符号がカット紙の合成領域で容易に判別できるようにする。【解決手段】   分割部１９は、カット紙情報と印刷画像データに基づき、印刷画像データが当該カット紙の１頁に収まるかを判別し、印刷領域に収まらないときには当該印刷画像データをそのカット紙１頁毎に分割する。合成部２１は、１頁毎の印刷画像データにおける分割符号の合成領域が所定の明度より暗いとき、分割符号５をその明度より明るい色値の色にして合成する。制御部１３は、分割部１９から得られた分割符号入り印刷画像データを１頁毎に出力制御する。【選択図】  図１
2008028441.tif 000002
【特許請求の範囲】
【請求項１】
長尺状の印刷画像データが所定のカット紙の印刷領域に収まらないとき、当該印刷画像データを前記カット紙１頁毎に分割する分割部と、
分割された１頁分の前記印刷画像データにおける画像領域の端部にその分割を示す分割符号を画像合成する合成部であって、前記分割符号の合成領域における背景色の色値を取得し、前記背景色とは異なる色値に設定された前記分割符号を合成する合成部と、
前記分割部および合成部を制御して前記分割符号入り印刷画像データを１頁毎に出力制御する制御部と、
を具備することを特徴とする印刷画像形成装置。
【請求項２】
前記分割符号は、前記分割符号の合成領域における背景色の色値が所定の閾値より大きいとき前記背景色よりも小さい色値であり、前記分割符号の合成領域における背景色の色値が前記所定の閾値より小さいとき前記背景色よりも大きい色値である請求項１記載の印刷画像形成装置。
【請求項３】
前記分割符号は、前期背景色の色値とは前記閾値を隔てて設定された色値である請求項２記載の印刷画像形成装置。
【請求項４】
前記分割符号は、当該分割符号の合成領域における背景色と所定の色値差以上の色値である請求項１〜３のいずれか１記載の印刷画像形成装置。
【請求項５】
前記色値差は、色差である請求項４記載の印刷画像形成装置。
【請求項６】
前記分割符号は、前記背景色と補色関係にある色のものである請求項１〜５のいずれか１記載の印刷画像形成装置。
【請求項７】
前記色値は、明度、彩度および色相のうち少なくとも１つである請求項１〜６のいずれか１記載の印刷画像形成装置。
【請求項８】
前記色値は、マンセル値である請求項１〜６のいずれか１記載の印刷画像形成装置。
【請求項９】
前記色値は、ＲＧＢ値、ＣＭＹ値又はＣＭＹＫ値である請求項１〜６のいずれか１記載の印刷画像形成装置。
【請求項１０】
前記背景色の色値は、前記合成領域の平均である請求項１〜９のいずれか１項記載の印刷画像形成装置。
【請求項１１】
長尺状の印刷画像データをカット紙に分割するとともにその分割を示す分割符号を前記印刷画像データに画像合成する印刷画像形成制御用コンピュータに、
前記印刷画像データが所定のカット紙の印刷領域に収まらないとき、当該印刷画像データを前記カット紙１頁毎に分割する分割処理と、
分割された１頁分の前記印刷画像データにおける画像領域の端部にその分割を示す分割符号を画像合成するとともに、前記分割符号の合成領域における背景色の色値を取得し、前記背景色とは異なる色値に設定された前記分割符号を合成する合成処理と、
前記分割符号入り印刷画像データを１頁毎に出力制御する制御処理と、
を実行させるための印刷画像形成プログラム。
【発明の詳細な説明】
【技術分野】
【０００１】
本発明は印刷画像形成装置および印刷画像形成プログラムに係り、長尺状の印刷画像データをＡ４判やＢ５判といったカット紙（定型紙）に印刷する印刷画像形成装置および印刷画像形成プログラムの改良に関する。
【背景技術】
【０００２】
従来、例えばファクシミリ装置において、図５に示すように、受信した長尺状の印刷画像データ（オリジナル画像）１をカット紙３に印刷するには複数枚のカット紙３に分割して印刷する必要があり、印刷されたカット紙３の連続関係が分かり易いように、個々のカット紙３の画像印刷領域の前端部や後端部に、分割を示す分割符号５を合成して印刷する構成が提案されている。図５中の符号７は印刷画像としての印刷文字である。
【０００３】
なお、分割符号５は、カット紙３における副走査方向に沿った端部からａだけ内側であって、後端又は先端からｂだけ内側に入った領域に合成されており、前後のカット紙３において互いに重なる位置に印刷されている。
【０００４】
また、別のファクシミリ装置として、長尺状の印刷画像データを分割出力する際に、分割された各頁の副走査方向後端に「次頁に続く」や「ＣＯＮＴＩＮＵＥＤ」等の文字を合成し、最終分割出力後に「終了」や「ＥＮＤ」等の文字を合成するとともに、その出力に続いて長尺状の印刷画像データの全イメージを１頁に縮小出力する構成が提案されている。特開平７−２３１６８号公報（特許文献１）はこの種のものである。
【特許文献１】特開平７−２３１６８号公報
【発明の開示】
【発明が解決しようとする課題】
【０００５】
しかしながら、上述したファクシミリ装置では、画像印刷領域の画像状態を示す背景色とは無関係に、黒色やこれに近い濃い色の分割符号５を合成するから、図６Ａに示すように、分割符号５を合成する画像印刷領域の背景色が白又は薄い色の場合には分割符号５が判別され易くて問題はないが、画像印刷領域の背景色が黒又は濃い色の場合、同図Ｂのように分割符号５が判別され難くなって視認性が悪く、場合によっては認識できない心配もある。
【０００６】
本発明はそのような課題を解決するためになされたもので、長尺状の印刷画像データをカット紙に分割して印刷する場合、印刷するカット紙における分割符号の判別が容易で視認性を高めることが可能な印刷画像形成装置および印刷画像形成プログラムの提供を目的とする。
【課題を解決するための手段】
【０００７】
そのような課題を解決するために本発明に係る印刷画像形成装置は、長尺状の印刷画像データが所定のカット紙の印刷領域に収まらないとき、当該印刷画像データをそのカット紙１頁毎に分割する分割部と、分割された１頁分の印刷画像データにおける画像領域の端部にその分割を示す分割符号を画像合成する合成部であって、その分割符号の合成領域における背景色の色値を取得し、その背景色とは異なる色値に設定された分割符号を合成する合成部と、その分割部および合成部を制御してその分割符号入り印刷画像データを１頁毎に出力制御する制御部とを具備している。
【０００８】
そして、本発明では、上記分割符号が、当該分割符号の合成領域における背景色の色値が所定の閾値より大きいとき当該背景色よりも小さい色値であり、当該分割符号の合成領域における背景色の色値が所定の閾値より小さいとき当該背景色よりも大きい色値である構成も可能である。
【０００９】
本発明では、上記分割符号が、その背景色の色値とは上記閾値を隔てて設定された色値である構成も可能である。
【００１０】
本発明では、上記分割符号が、当該分割符号の合成領域における背景色と所定の色値差以上の色値である構成も可能である。
【００１１】
本発明では、上記色値差が色差である構成も可能である。
【００１２】
本発明では、上記分割符号が上記背景色と補色関係にある色のものである構成も可能である。
【００１３】
本発明では、上記色値が明度、彩度および色相のうち少なくとも１つである構成も可能である。
【００１４】
本発明では、上記色値が、マンセル値である構成も可能である。
【００１５】
本発明では、上記色値がＲＧＢ値、ＣＭＹ値又はＣＭＹＫ値である構成も可能である。
【００１６】
本発明では、上記背景色の色値が当該合成領域の平均である構成も可能である。
【００１７】
そして、本発明の印刷画像形成プログラムでは、長尺状の印刷画像データをカット紙に分割するとともにその分割を示す分割符号をその印刷画像データに画像合成する印刷画像形成制御用コンピュータに、その記印刷画像データが所定のカット紙の印刷領域に収まらないとき、当該印刷画像データをそのカット紙１頁毎に分割する分割処理と、分割された１頁分の印刷画像データにおける画像領域の端部にその分割を示す分割符号を画像合成するとともに、その分割符号の合成領域における背景色の色値を取得し、その背景色とは異なる色値に設定された分割符号を合成する合成処理と、その分割符号入り印刷画像データを１頁毎に出力制御する制御処理とを実行させるものである。
【発明の効果】
【００１８】
このような本発明に係る印刷画像形成装置および印刷画像形成プログラムでは、長尺状の印刷画像データが所定のカット紙の印刷領域に収まらないとき、分割部にて当該印刷画像データをそのカット紙１頁毎に分割し、分割された１頁分の印刷画像データにおける画像領域の端部にその分割を示す分割符号を合成部にて画像合成するとともに、その合成部にて合成領域の背景色の色値を取得し、その背景色とは異なる色値に設定された分割符号を合成し、その分割部および合成部を制御部にて制御してその分割符号入り印刷画像データを１頁毎に出力制御する構成であるから、長尺状の印刷画像データを分割して印刷したカット紙において、分割符号を合成する画像印刷領域の色状態にかかわらず、分割符号の判別が容易で視認性を高めることが可能となる。
【発明を実施するための最良の形態】
【００１９】
以下、本発明に係る実施の形態を図面を参照して説明する。なお、従来構成と同一の部分には同一の符号を付す。
【００２０】
図１は本発明に係る印刷画像形成装置の実施の形態を示すブロック図である。
【００２１】
図１において、通信部９は、ネットワーク１１に接続された外部の例えばコンピュータ（図示省略）との間で印刷画像データ等のやり取りをするインターフェース機能を有し、制御部１３に接続されている。
【００２２】
制御部１３は、読取部１５、記憶部１７、分割部１９、合成部２１および印刷部２３に接続され、通信部９を含めてそれらを制御している。制御部１３の詳細な機能については後述する。
【００２３】
読取部１５は、制御部１３の制御の下で、印刷文書に光を照射して得た反射光を電気信号に変換して印刷情報を読取って所定の印刷画像データを作成し、これを制御部１３に出力する従来公知の機能を有するものである。
【００２４】
記憶部１７は、制御部１３の制御の下で、その印刷画像データ、後述する分割符号５に関するキャラクタ情報、例えば図２中の符号５のような記号「＊」その他のデータを読み書き可能に格納するメモリである。分割符号５としては、文字や記号等任意の符号がある。
【００２５】
分割部１９は、制御部１３の制御の下で、制御部１３から得られた印刷画像データおよびカット紙の大きさ（寸法）等のカット紙情報とに基づき、印刷画像データが当該カット紙１頁中の副走査方向ライン数（印刷領域）に収まるかを判別し、当該印刷画像データが長尺状であって印刷ライン数に収まらないとき、そのカット紙３の頁単位に分割して１頁毎（頁単位）の印刷画像データを作成する機能を有し、個々の頁単位の印刷画像データを制御部１３に出力する機能を有している。
【００２６】
合成部２１は、制御部１３の制御の下で、制御部１３から各頁単位の印刷画像データおよび分割符号５に関するキャラクタ情報を入力し、予め設定された分割符号合成領域すなわち１頁毎の印刷画像データにおける画像印刷領域の後端部にあって分割符号５を合成する位置近傍の背景色の色値、例えば明度、彩度又は色相を表す値を取得し、その背景色が予め設定された明度、彩度又は色相より暗いとき、分割符号５に関するキャラクタをそれら明度、彩度又は色相より小さい色値の明るい色にして合成する機能を有し、１頁毎の分割符号入り印刷画像データを制御部１３に出力する機能を有している。
【００２７】
色値とは、色を数値で表したもので、色そのものを表す値、色の３要素である上述した明度、彩度、色相を表す値、３原色であるＲＧＢやＣＭＹ（Ｋ）を表す値がある。
【００２８】
合成部２１は、その背景色が予め設定された明度、彩度又は色相より明るいとき、分割符号５に関するキャラクタをそれら明度、彩度又は色相より大きな色値の暗い色にして合成する機能も有している。
【００２９】
なお、画像印刷領域おいて分割符号５の合成位置は、予め制御部１３や合成部２１に設定されている。
【００３０】
例えば、合成部２１は、図２に示すように、１頁毎の印刷画像データがモノクロである場合、分割符号合成領域が真っ黒であったり黒に近い濃い灰色である場合、白い分割符号５を合成して白抜きの分割符号５を形成する機能を有している。
【００３１】
このように本発明において、分割符号５の合成領域の背景色の色値、例えば明度、彩度若しくは色相、又はこれらの組合を表す値を取得し、その背景色とは異なる色値の分割符号５を合成している。
【００３２】
制御部１３は、通信部９又は読取部１５から得られた印刷画像データを記憶部１７に一時的に格納制御し、図示しない指示手段から印刷の指示があったとき、印刷画像データや分割符号５に関するキャラクタ情報を記憶部１７から読み出して分割部１９に出力制御し、分割部１９から得られた１頁毎の分割符号入り印刷画像データを記憶部１７に一時的に格納するとともに、順次、印刷部２３に１頁毎に出力制御する機能を有している。
【００３３】
印刷部２３は、制御部１３の制御の下で、制御部１３から出力された頁単位の分割符号入り印刷画像データをモノクロ又はカラー印刷する印刷エンジン等であり、従来公知のものであるから詳細な説明は省略する。
【００３４】
そして、それら制御部１３、記憶部１７、分割部１９、合成部２１は、例えば図示しない種々の演算判断機能を有するＣＰＵ、このＣＰＵの動作プログラムを格納したＲＯＭおよび入出力インターフェースを有するマイクロコンピュータで構成されており、例えばファクシミリ装置に搭載した従来機能を担うマイクロコンピュータにて兼用構成可能である。
【００３５】
次に、本発明に係る印刷画像形成装置の動作を図３および図４のフローチャートを参照して説明する。
【００３６】
なお、図３中（ステップＳ２、Ｓ６）における符号Ｌは印刷画像データの副走査方向ライン数を、符号ＴＬはカット紙３における頁単位の可能画像ライン数を示しており、図４中（ステップＳ５２）における符号Ｄは色値の平均濃度を、符号ＴＤは色値の濃度閾値である。
【００３７】
プログラムがスタートすると、ステップＳ１にて印刷画像データについて副走査方向ライン数Ｌを算出し、続くステップＳでは副走査方向ライン数Ｌがカット紙３における頁単位の可能画素ライン数ＴＬを超えているか否か判別される。
【００３８】
印刷画像データがカット紙３の１頁に収まってステップＳ２がＮＯであれば、ステップＳ３に移って印刷処理が行われて終了する。
【００３９】
印刷画像データがカット紙３の１頁に収まらずにステップＳ２がＹＥＳであれば、ステップＳ４に移って印刷画像データを分割処理し、ステップＳ５で分割符号５の合成処理が行われる。ステップＳ５の詳細（図４）は後述する。
【００４０】
続く、ステップＳ６にて残りの副走査方向ライン数Ｌを算出し（Ｌ＝Ｌ−ＴＬ）、当該１頁分の印刷画像データを印刷処理してステップＳ２に戻る。以降、最終頁に至るまでそれらを繰返す。
【００４１】
図５を参照して分割符号５の合成処理（ステップＳ５）の詳細を説明する。
【００４２】
図５において、ステップＳ５中のサブステップであるステップＳ５１にて分割符号５の背景色の画素を調査して近傍を含めた平均濃度Ｄを求め、ステップＳ５２に移って平均濃度Ｄが濃度閾値ＴＤを超えているか判別される。
【００４３】
平均濃度Ｄが濃度閾値ＴＤを超えていないためステップＳ５２がＮＯの場合、ステップＳ５３にて通常の合成処理、すなわち分割符号５の合成位置に対して黒色の分割符号５の合成が行われる。
【００４４】
他方、合成位置が黒くて平均濃度Ｄが濃度閾値ＴＤを超えているためステップＳ５２がＹＥＳの場合、ステップＳ５４にて合成位置に対して分割符号５を反転合成し、合成位置に白抜きの分割符号５を合成する。
【００４５】
このような本発明に係る印刷画像形成装置では、カット紙情報と印刷画像データに基づき、印刷画像データが当該カット紙の１頁に収まるかを判別し、印刷領域に収まらないときには長尺状の当該印刷画像データをそのカット紙１頁毎に分割する分割部１９と、１頁毎の印刷画像データにおける画像印刷領域の後端部の色値例えば明度、彩度又は色相を表す値を取得し、分割符号合成領域が所定の明度、彩度又は色相より暗いとき、分割符号５をその明度、彩度又は色相を表す値に対して明るい色値の色にして合成する合成部２１と、分割部１９から得られた分割符号入り印刷画像データを１頁毎に出力制御する制御部１３を有するから、長尺状の印刷画像データを分割して印刷したカット紙において、分割を示す分割符号５の背景色が黒や暗い状態であっても、合成した分割符号５の判別が容易で視認性を高めることが可能となる。
【００４６】
しかも、合成部２１は、背景色についての明度、彩度若しくは色相又はこれらの組合を表す値の平均が所定の閾値より大きいとき、分割符号５に関するキャラクタをその閾値より小さい色値の色にして合成するから、背景色に模様等の濃淡変化があっても、分割符号５を見易くすることが可能である。
【００４７】
また、上述した実施の形態では、分割符号５が、当該分割符号５の合成領域における背景色の色値が所定の閾値より小さいとき背景色よりも大きい色値であっても良く、更に、分割符号５が上記閾値を隔てて予め設定された色のものであっても上述した効果を得ることが可能である。
【００４８】
さらに、本発明に係る印刷画像形成装置では、モノクロ印刷画像データに分割符号５を合成する構成に限定されず、カラー印刷画像データにカラー分割符号５を合成する構成も可能である。
【００４９】
また、いずれの色値で表される色も、それを表す値としてマンセル値、色の三要素（明度、彩度、色相）中の各要素、三原色（ＲＧＢ、ＣＭＹ形式又はＣＭＹＫ形式）を基準に考慮すれば良い。
【００５０】
しかも、本発明に係る印刷画像形成装置では、印刷画像データの背景色と分割符号５の色とを閾値から所定値以上隔てて識別し易く配色する構成に限らず、分割符号５と背景色とは所定の色差以上となる色値で表される色を付して配色する構成も可能である。
【００５１】
なお、色差とは、２色間の色の違いを表す値であって「ΔE」で表される。例えば、L＊a＊b＊表色系における色差は、色の三要素（明度、彩度、色相）を総合的に比較した場合の２色間の違いであり、次式で求めることができる。
ΔE＝{(ΔL*)2+(Δa*)2+(Δb*)2}1/2
【００５２】
そして、本発明では、上記分割符号５が、当該分割符号５の合成領域における背景色と所定の色値差以上の色値である構成であったり、上記色値差が色差である構成、更に、分割符号５が上記背景色と補色（例えば色相環上で向かい合う位置の色）関係にある色のものである構成も可能である。
【００５３】
ところで、上述した明度、彩度、色相の色値は以下の表色系に基づくものである。
XYZ表色系（JISZ8701、CIE1931）
X10Y10Z10表色系（JISZ8701、CIE1964）
L*a*b*表色系（JISZ8729、CIE1976）
L*C*h表色系
ハンターLab表色系
マンセル表色系（JISZ8721）
L*u*v*表色系（JISZ8729、CIE1976）
【００５４】
さらに、色差の具体例としては以下のようなものがある。
L*a*b*色差（JISZ8729、CIE1976）
ハンター色差
L*u*v*色差（JISZ8729、CIE1976）
【００５５】
そして、本発明における上記色値は明度、彩度若しくは色相、又はこれらの組合せの他、明度についても暗い明度の上記背景色に対して明るい明度の色のものであったり、上記背景色の色値が当該合成領域の平均であっても本発明の目的達成が可能である。
【００５６】
そして、本発明に係る印刷画像形成プログラムは、上述した制御部１３、記憶部１７、分割部１９および合成部２１等において、その印刷画像データが所定のカット紙３の印刷領域に収まらないとき、当該印刷画像データをそのカット紙３の１頁毎に分割する分割処理と、分割された１頁分の印刷画像データにおける画像印刷領域の端部にその分割を示す分割符号５を画像合成するとともに、その分割符号５を合成する領域について背景色の色値を取得し、その背景色とは異なる色値に設定された分割符号５を合成する合成処理と、その分割符号入り印刷画像データを１頁毎に出力制御する制御処理とを実行するものである。
【図面の簡単な説明】
【００５７】
【図１】本発明に係る印刷画像形成装置の実施の一形態を示すブロック図である。
【図２】本発明においてカット紙に分割符号を合成した状態を示す図である。
【図３】図１の印刷画像形成装置の動作を説明するフローチャートである。
【図４】図１の印刷画像形成装置の動作を説明するフローチャートである。
【図５】カット紙への分割印刷とカット紙への分割符号の合成状態を示す図である。
【図６】カット紙に分割符号を合成した状態を示す図である。
【符号の説明】
【００５８】
１  長尺状印刷画像データ（オリジナル画像）
３  カット紙（定型紙）
５  分割符号
７  印刷文字（印刷画像）
９  通信部
１１  ネットワーク
１３  制御部
１５  読取部
１７  記憶部
１９  分割部
２１  合成部
２３  印刷部
【図１】
2008028441.tif 000003
【図２】
2008028441.tif 000004
【図３】
2008028441.tif 000005
【図４】
2008028441.tif 000006
【図５】
2008028441.tif 000007
【図６】
2008028441.tif 000008